(57)【特許請求の範囲】
【請求項１】
人体の少なくとも上半身を覆う大きさを有する合成樹脂製の袋体からなり、この袋体の底部中央に襟ぐり部が設けられるとともに該袋体の両側部にそれぞれアームホールが設けられ、該袋体の前身頃に相当する面及び後身頃に相当する面の両方の外側表面には、袋体の開口縁部に沿う領域に、前記襟ぐり部に向けて２回繰り返し折り返される袋体の開口縁部を該袋体の表面に逐次止着する止着手段がそれぞれ設けられた袋兼用外着。
【請求項２】
請求項１に記載の袋兼用外着において、
前記止着手段は、前記袋体の開口縁部に沿う領域の全域に亘って設けられた袋兼用外着。
【請求項３】
請求項１に記載の袋兼用外着において、
前記止着手段は、前記袋体の開口縁部に沿う領域に部分的に設けられた袋兼用外着。
【請求項４】
請求項１〜３のいずれか一つに記載の袋兼用外着において、
前記止着手段は両面粘着テープであって、この両面粘着テープの外方に向く面が離型紙により被覆されている袋兼用外着。
【請求項５】
請求項１〜３のいずれか一つに記載の袋兼用外着において、
前記止着手段は前記袋体の開口縁部に沿う領域に塗布形成された粘着剤層であって、この粘着剤層の表面が離型紙により被覆されている袋兼用外着。
【請求項６】
請求項５に記載の袋兼用外着において、
前記粘着剤層は、再接着可能な粘着剤で構成された袋兼用外着。
【請求項７】
請求項４〜６のいずれか一つに記載の袋兼用外着において、
前記離型紙は、その表面に文字、記号、又は図柄、若しくはそれらの組み合わせが表記されている袋兼用外着。
【請求項８】
人体の少なくとも上半身を覆う大きさを有する合成樹脂製の袋体からなり、この袋体の底部中央に襟ぐり部が設けられるとともに該袋体の両側部にそれぞれアームホールが設けられ、該袋体の前身頃に相当する面及び後身頃に相当する面の各表面には袋体の開口縁部に沿う領域に、前記襟ぐり部に向けて折り返される袋体の開口縁部を該袋体の表面に止着する止着手段がそれぞれ設けられ、さらに、前記袋体の後身頃に相当する面の端縁から人体の臀部を覆う延出部が設けられた袋兼用外着。
【請求項９】
請求項８に記載の袋兼用外着において、
前記止着手段は、前記袋体の開口縁部に沿う領域の全域に亘って設けられた袋兼用外着。
【請求項１０】
請求項８に記載の袋兼用外着において、
前記止着手段は、前記袋体の開口縁部に沿う領域に部分的に設けられた袋兼用外着。
【請求項１１】
請求項８に記載の袋兼用外着において、
前記止着手段は、前記袋体の後身頃に相当する面の表面であって袋体の開口部に沿う領域と、前記延出部の前記前見頃に臨む側の表面であって該延出部の先端縁部に沿う領域とにそれぞれ設けられた袋兼用外着。
【請求項１２】
請求項８〜１１のいずれか一つに記載の袋兼用外着において、
前記止着手段は両面粘着テープであって、この両面粘着テープの外方に向く面が離型紙により被覆されている袋兼用外着。
【請求項１３】
請求項８〜１１のいずれか一つに記載の袋兼用外着において、
前記止着手段は塗布形成された粘着剤層であって、この粘着剤層の表面が離型紙により被覆されている袋兼用外着。
【請求項１４】
請求項１３に記載の袋兼用外着において、
前記粘着剤層は、再接着可能な粘着剤で構成された袋兼用外着。
【請求項１５】
請求項１２〜１４のいずれか一つに記載の袋兼用外着において、
前記離型紙は、その表面に文字、記号、又は図柄、若しくはそれらの組み合わせが表記されている袋兼用外着。
【請求項１６】
人体の少なくとも上半身を覆う大きさを有する布製の袋体からなり、この袋体の底部中央に襟ぐり部が設けられるとともに該袋体の両側部にそれぞれアームホールが設けられ、該袋体の前身頃に相当する面及び後身頃に相当する面の両方の外側表面には、袋体の開口縁部に沿う領域に、前記襟ぐり部に向けて２回繰り返し折り返される袋体の開口縁部を該袋体の表面に逐次止着する止着手段がそれぞれ設けられた袋兼用外着。
【請求項１７】
請求項１６に記載の袋兼用外着において、
前記止着手段は、前記袋体の開口縁部に沿う領域の全域に亘って設けられた袋兼用外着。
【請求項１８】
請求項１６に記載の袋兼用外着において、
前記止着手段は、前記袋体の開口縁部に沿う領域に部分的に設けられた袋兼用外着。
【請求項１９】
請求項１６〜１８のいずれか一つに記載の袋兼用外着において、
前記止着手段は、面ファスナである袋兼用外着。
【請求項２０】
請求項１６〜１８のいずれか一つに記載の袋兼用外着において、
前記止着手段は、ループ状に起毛された前記袋体の表面それ自体と、フック面を備えた面ファスナとから構成された袋兼用外着。
【請求項２１】
請求項１６〜１８のいずれか一つに記載の袋兼用外着において、
前記止着手段は、複数個のホックからなる袋兼用外着。
【発明の詳細な説明】
【技術分野】
【０００１】
本発明は、簡易レインコートや簡易防寒着としても、また、収納袋やゴミ袋としても使用することができる袋兼用外着に関する。
【背景技術】
【０００２】
この種の外着としては、これまで種々多様なものが提案されている。【０００３】
例えば、特許文献１には、使用者の頭部を覆うフードにも物品を入れる手提袋にもなる半袋状体と、使用者の上半身を覆うマント部とを防水布或いは合成樹脂により構成してなる手提袋兼用雨具が提案されている。この手提袋兼用雨具を手提袋として用いる場合は、半袋状体に設けられた止金具を止め合わせることで半袋状体を袋体に形成し、これに取り付けられた帯状片を手提紐として使用する。また、マント部も風呂敷のようにして物品を包むのに使用する。そして雨天の時には、半袋状体の止金具とフードの頭挿通部の周囲に配された止金具とを係合し、半袋状体をフードとして頭に被り、マント部で上半身を覆うようにして雨をしのぐ。【０００４】
特許文献２には、矩形袋の内側の左右下部に、袖用筒状体の一端を取り付け、内側底部にフード用覆体を取り付け、さらに矩形袋の上端開口部に長尺の紐体を取り付けた雨衣兼用ゴミ袋が提案されている。この雨衣兼用ゴミ袋をゴミ袋として使用する場合は、矩形袋の上端開口部よりゴミ等を投入し、上端開口部の周縁に設けられた紐体で上端開口部を縛る。そして、雨天の時には、矩形袋の表裏を返し、袖用筒状体及びフード用覆体を表側に出し、袖用筒状体とフード用覆体の連結部の付け根を破り、矩形袋を頭から被って袖用筒状体へ両腕を通し、フード用覆体で頭部を覆うことでカッパとして使用する。さらに、再びゴミ袋として使用する場合は、以前カッパとして使用した際に袖用筒状体とフード用覆体の付け根を破ってしまっているので袖用筒状体を個々に結着して袖用筒状体からゴミが漏れ出るのを阻止する一方、上端開口部を紐体で縛って閉じ、ゴミはフード用覆体の付け根部の開口部から矩形袋内に投入する。【０００５】
特許文献３には、略四角形状の合成樹脂製エアクッションシートを重ね合わせて少なくともその３辺を接合させてなる雨よけとゴミ袋とを兼ねたクッションが提案されている。このクッションは、そのままの状態で座布団代わりとして、またゴミ袋としても使用する。そして、雨天の時には、開口部に連なる２つの接合辺のうちいずれか一方を解放し、雨よけフードとして使用する。【０００６】
特許文献４には、袋体の底部側にフード部を備えた簡易レインコートが提案されている。この簡易レインコートをゴミ袋として使用する場合は、袋体をそのままゴミ袋として使用する。そして、雨天の時には、袋体の底部側の外面一角部に設けた三角形状のフード部を頭に被り、このフード部の両隣の角部にそれぞれ設けた小フード部に片方ずつ手を入れて、袋全体をマントのように羽織る。【０００７】
特許文献５には、袋状主体の下部周縁を袋状に形成し、その内部に紐を挿通して紐の一部を外方に引き出せるようにし、袋状主体の上部と下部の夫々に掛止具を設けた、収納袋を兼ねたポンチョ風の合羽が提案されている。この収納袋を兼ねた合羽を収納袋として使用する場合は、袋状主体を二つ折りにするとともに上部と下部にそれぞれ設けた掛止具同士を掛止させて、袋状主体の下半部を収納袋として使用する。そして、雨天の時には、袋状主体そのものがポンチョ風に形成されているから、袋状主体の底部中央に形成された開口部から頭を出し、底部両側に形成された開口部からそれぞれ腕を出すようにして着用する。
【先行技術文献】
【特許文献】
【０００８】
【特許文献１】実公昭２９−６２７８号公報
【特許文献２】実開平１−１４９４１３号公報
【特許文献３】実開平２−６６６１６号公報
【特許文献４】特開２００３−１２９３０９号公報
【特許文献５】実開昭６２−１５７９０６号公報
【発明の概要】
【発明が解決しようとする課題】
【０００９】
上記の特許文献１〜５に開示された従来例は、ゴミ袋としても、また雨天時にはレインコート代わりとしても使用することができ便利なものである。【００１０】
しかしながら、それらのうち特許文献１〜４に開示されたいずれの従来例も、少なくとも頭部を覆うフード部を有するものであるから、例えば一般に広く使用されているゴミ袋を流用して製作しようとするとフード部のための材料を別途用意する必要があるとともに、袋本体とフード部とを結合するための何らかの手段を講じなければならない。このため、製作が煩瑣となるばかりでなく材料費も嵩むことから、この種の物品に強く求められる低廉化に十分対応することができないといった不都合があった。【００１１】
この点、特許文献５に開示された従来例は、フード部を持たないものであるから、その分上記のような不都合はいくらか軽減されるものの、ゴミ袋として用いる場合、実質的に袋状主体の半分しか使用することができないため、僅かな量のゴミしか収容することができず、ゴミ袋としての実用性に欠けるといった不都合があった。【００１２】
本発明は、上記のような従来例が有する問題点に鑑み創案されたものであり、製作が極めて容易で材料費も嵩まず、簡易レインコートや簡易防寒着としてもまた収納袋やゴミ袋としても取り扱いが非常に簡便で、且つ、いずれの用途においても実用性に富む袋兼用外着を提供することを目的とする。
【課題を解決するための手段】
【００１３】
上記の課題を解決するため、本発明の袋兼用外着は、人体の少なくとも上半身を覆う大きさを有する合成樹脂製の袋体からなり、この袋体の底部中央に襟ぐり部が設けられるとともに該袋体の両側部にそれぞれアームホールが設けられ、該袋体の前身頃に相当する面及び後身頃に相当する面の両方の外側表面には、袋体の開口縁部に沿う領域に、前記襟ぐり部に向けて２回繰り返し折り返される袋体の開口縁部を該袋体の表面に逐次止着する止着手段がそれぞれ設けられたものである。
【００１４】
このようになる袋兼用外着にあっては、簡易レインコート又は簡易防寒着として使用する場合は、袋体を頭から被って襟ぐり部から首を出し、各アームホールからそれぞれ左右の腕を出すだけで着用を完了する。袋体としては、市場に広く出回っている一般的なゴミ袋をそのまま流用することができる。この場合、襟ぐり部とアームホールとは、ゴミ袋の所定箇所を適宜の切断手段により、それぞれ襟ぐり部及びアームホールに適した形状に切断することで形成される。また、袋体は、ゴミ袋を流用するのではなく、この袋兼用外着のために製作した専用の袋体であっても勿論よい。その場合、袋体を無色透明のものとすることも、或いは好みの色に着色された透明又は半透明若しくは不透明なものとすることもできる。【００１５】
本発明の袋兼用外着は、上記したように、合成樹脂製の袋体からなるものであるから、小さく折り畳んでどこにでも携行することができるとともに、Ｔシャツを着るように簡単に着用することができるため、突然の雨や寒風に襲われても簡単にしのぐことができる。【００１６】
また、本発明の袋兼用外着は、袋体の前身頃に相当する面及び後身頃に相当する面の両方の外側表面には、袋体の開口縁部に沿う領域に、前記襟ぐり部に向けて２回繰り返し折り返される袋体の開口縁部を該袋体の表面に逐次止着する止着手段がそれぞれ設けられているので、この袋兼用外着を収納袋やゴミ袋として使用する場合に、袋体の開口部を至極簡単に閉じることができ、瞬時にして収納袋やゴミ袋を形成することができる。
【００１７】
また、上記の止着手段は、袋体における前身頃に相当する面及び後身頃に相当する面の両方の外側表面において、袋体の開口縁部に沿う領域にそれぞれ設けられているので、開口縁部を襟ぐり部に向けて２回折り返すことを使用者に促すことができる。そして、この２回の折り返しにより、袋体の開口部の閉じ部に、かなりの重量の物やゴミが袋体内に投入されても袋体の開口部が簡単には開かない程度の強度を付与することができる。
【００１８】
上記止着手段は、袋体の開口縁部に沿う領域の全域に亘って設けられていても、また、袋体の開口縁部に沿う領域に部分的に設けられていてもよい。【００１９】
上記全域に亘って止着手段が設けられている場合は、開口縁部を折り上げた際、袋体の開口部の閉じ部における強度が非常に高いものとなり、かなりの重量の物やゴミを気兼ねなく袋体内に投入することができる。一方、上記全域に部分的に止着手段が設けられている場合は、止着手段を構成する部材の使用量を抑えることができ、製作コストの低コスト化に寄与することができる。【００２０】
上記構成において、止着手段は、両面粘着テープであって、この両面粘着テープの外方に向く面が離型紙により被覆されているとよい。【００２１】
この場合、両面粘着テープは市場に広く出回っており安価な両面粘着テープを容易に調達することができるので、製作コストの上昇を招く虞がない。また、両面粘着テープの外方に向く面が離型紙により被覆されているので、袋形成時にのみ両面粘着テープの機能を発揮させることができる。【００２２】
さらに、止着手段は、袋体の表面に塗布形成された粘着剤層であって、この粘着剤層の表面が離型紙により被覆されているとよい。【００２３】
この場合、粘着剤を塗布するだけでよいため、止着手段の形成が極めて簡単なものとなり、製作コストを抑えることができるとともに、折り畳み時に、両面粘着テープを採用した場合に比べてより嵩低く折り畳むことができ、携行に優れたものとなる。また、粘着剤層の表面が離型紙により被覆されているので、袋形成時にのみ粘着剤層の機能を発揮させることができる。【００２４】
また、粘着剤層は、再接着可能な粘着剤で構成されていてもよい。【００２５】
この場合、袋として使用した後に袋体の開口部を再度開いて再び簡易レインコートや簡易防寒着として使用することができる。【００２６】
上記の両面粘着テープや粘着剤層を被覆する離型紙は、その表面に文字、記号、又は図柄、若しくはそれらの組み合わせが表記されていてもよい。【００２７】
この場合、離型紙を、袋形成時に廃棄されるまでの間、簡易レインコートや簡易防寒着にアクセントを与えるワンポイントとして、また、袋体の開口部の閉じ方を説明する説明用紙として活用することができる。【００２８】
袋兼用外着は、また、人体の少なくとも上半身を覆う大きさを有する合成樹脂製の袋体からなり、この袋体の底部中央に襟ぐり部が設けられるとともに該袋体の両側部にそれぞれアームホールが設けられ、該袋体の前身頃に相当する面及び後身頃に相当する面の各内面には該袋体の開口縁部を封止する封止手段が設けられたものであってもよい。
【００２９】
この場合、袋に形成する際、開口縁部を折り返さなくとも袋体の開口部を封止することができ、簡単に袋を形成することができるとともに、封止手段が袋体の内側に存することになるので、携行時や着用時に封止手段が傷む虞が少ない。【００３０】
また、そのような袋兼用外着において、封止手段は両面粘着テープであって、この両面粘着テープの外方に向く面が離型紙により被覆されていてもよい。【００３１】
この場合、両面粘着テープは市場に広く出回っており安価な両面粘着テープを容易に調達することができるので、製作コストの上昇を招く虞がない。また、両面粘着テープの外方に向く面が離型紙により被覆されているので、袋形成時にのみ両面粘着テープの機能を発揮させることができる。【００３２】
また、封止手段は袋体の内面に塗布された粘着剤層であって、この粘着剤層の表面が離型紙により被覆されていてもよい。【００３３】
この場合、粘着剤を塗布するだけでよいため、封止手段の形成が極めて簡単なものとなり、製作コストを抑えることができるとともに、折り畳み時に、両面粘着テープを採用した場合に比べてより嵩低く折り畳むことができ、携行に優れたものとなる。また、粘着剤層の表面が離型紙により被覆されているので、袋形成時にのみ粘着剤層の機能を発揮させることができる。【００３４】
さらに、封止手段としての粘着剤層は、再接着可能な粘着剤で構成されていてもよい。【００３５】
この場合、袋として使用した後に袋体の開口部を再度開いて再び簡易レインコートや簡易防寒着として使用することができる。【００３６】
ところで、上記の止着手段を有する袋兼用外着と封止手段を有する袋兼用外着とは、その形態から、相互に表裏の関係にある。すなわち、止着手段を有する袋兼用外着の袋体を裏返せばその止着手段は封止手段となり、封止手段を有する袋兼用外着の袋体を裏返せばその封止手段は止着手段となる。したがって、上記いずれの袋兼用外着も、その袋体を裏返しても、当初の止着手段を封止手段として、またこれと対称的に当初の封止手段を止着手段としてそれぞれ機能させることができることから、何ら問題なく袋を形成することができる。このため、例えば、袋兼用外着を簡易レインコートとして使用した後袋として使用する場合に、水滴がついた面が外側にくることによって袋を持ち運ぶ際水滴が垂れたり衣服を濡らしたりすることを防ぎたいとき、袋体を裏返してその表裏を反転させ、水滴で濡れた面を袋の内側にくるようにすることができる。【００３７】
本発明の袋兼用外着は、人体の少なくとも上半身を覆う大きさを有する合成樹脂製の袋体からなり、この袋体の底部中央に襟ぐり部が設けられるとともに該袋体の両側部にそれぞれアームホールが設けられ、該袋体の前身頃に相当する面及び後身頃に相当する面の各表面には袋体の開口縁部に沿う領域に、前記襟ぐり部に向けて折り返される袋体の開口縁部を該袋体の表面に止着する止着手段がそれぞれ設けられ、さらに、前記袋体の後身頃に相当する面の端縁から人体の臀部を覆う延出部が設けられたものであってもよい。【００３８】
この場合、延出部によって人体の臀部が覆われるため、例えば、雨天又は雨天後の屋外においてベンチシートに腰掛ける際、ベンチシートの上に溜まった雨水で臀部が濡れてしまうのを防止することができる。したがって、例えば雨天でも行われるサッカーや野球、ラグビーなどの屋外スポーツの観戦に好適である。【００３９】
本発明の袋兼用外着は、人体の少なくとも上半身を覆う大きさを有する布製の袋体からなり、この袋体の底部中央に襟ぐり部が設けられるとともに該袋体の両側部にそれぞれアームホールが設けられ、該袋体の前身頃に相当する面及び後身頃に相当する面の両方の外側表面には、袋体の開口縁部に沿う領域に、前記襟ぐり部に向けて２回繰り返し折り返される袋体の開口縁部を該袋体の表面に逐次止着する止着手段がそれぞれ設けられたものであってもよい。
【００４０】
この場合、袋体が布製であるから、上記の袋体が合成樹脂製のものに比べて保温効果が高い。【００４１】
袋体が布製の場合は、止着手段としては、面ファスナを用いることができる。また、止着手段は、ループ状に起毛された袋体の表面それ自体と、フック面を備えた面ファスナとから構成されていてもよい。さらには、複数個のホックから構成されていてもよい。【００４２】
袋兼用外着は、人体の少なくとも上半身を覆う大きさを有する布製の袋体からなり、この袋体の底部中央に襟ぐり部が設けられるとともに該袋体の両側部にそれぞれアームホールが設けられ、該袋体の前身頃に相当する面及び後身頃に相当する面の各内面には袋体の開口縁部に沿う領域に、該袋体の開口縁部を封止する封止手段が設けられたものであってもよい。
【００４３】
袋体が布製の場合は、封止手段としては、面ファスナを用いることができる。また、封止手段は、ループ状に起毛された袋体の表面それ自体と、フック面を備えた面ファスナとから構成されていてもよい。さらには、複数個のホックから構成されていてもよい。
【発明の効果】
【００４４】
本発明によれば、製作が極めて容易で材料費も嵩まず、簡易レインコートや簡易防寒着としてもまた収納袋やゴミ袋としても取り扱いが非常に簡便で、且つ、いずれの用途においても実用性に富む袋兼用外着を提供することができる。
【図面の簡単な説明】
【００４５】
【図１】本発明の一実施形態に係る袋兼用外着の着用時を示し、（ａ）は正面図、（ｂ）は背面図である。
【図２Ａ】本発明の一実施形態に係る袋兼用外着から袋を形成する手順を示す斜視図である。
【図２Ｂ】図２Ａに示す手順の次の手順を示す斜視図である。
【図２Ｃ】図２Ｂに示す手順の次の手順を示す斜視図である。
【図２Ｄ】図２Ｃに示す手順の次の手順を示す斜視図である。
【図２Ｅ】図２Ｄに示す手順の次の手順を示す斜視図である。
【図３】図２Ｅに示す（３）−（３）線に沿う断面図である。
【図４】止着手段の他の配置例を示す斜視図である。
【図５】本発明の一参考例に係る袋兼用外着を示す斜視図である。
【図６】本発明のさらに他の実施形態に係る袋兼用外着の着用時を示し、（ａ）は正面図、（ｂ）は背面図である。
【図７】図６に示す袋兼用外着から袋を形成する手順を示す概略断面図である。
【図８】図６に示す袋兼用外着から袋を形成する他の手順を示す概略断面図である。
【図９Ａ】本発明のさらに他の実施形態に係る袋兼用外着から袋を形成する手順を示す斜視図である。
【図９Ｂ】図９Ａに示す手順の次の手順を示す斜視図である。
【図９Ｃ】図９Ｂに示す手順の次の手順を示す斜視図である。
【発明を実施するための形態】
【００４６】
以下、本発明の一実施形態について、図面を参照して説明する。
【００４７】
図１は、本発明の一実施形態に係る袋兼用外着の着用時を示し、同図（ａ）は正面図、同図（ｂ）は背面図である。
【００４８】
この袋兼用外着１は、人体の少なくとも上半身を覆う大きさを有する合成樹脂製の袋体２からなり、この袋体２の底部中央に襟ぐり部３が設けられるとともに袋体２の両側部にそれぞれアームホール４，４が設けられ、袋体２の前身頃に相当する面２Ｆ及び後身頃に相当する面２Ｂの両方の外側表面には、袋体２の開口縁部２１に沿う領域に、襟ぐり部３に向けて２回繰り返し折り返される袋体２の開口縁部２１を袋体２の表面に逐次止着する止着手段５がそれぞれ設けられたものである。
【００４９】
このようになる袋兼用外着１にあっては、簡易レインコート又は簡易防寒着として使用する場合は、図１に示すように、袋体２を頭から被って襟ぐり部３から首Ｎを出し、各アームホール４，４からそれぞれ左右の腕Ａ，Ａを出すだけで着用を完了する。
【００５０】
袋体２としては、市場に広く出回っている一般的なゴミ袋をそのまま流用することができる。この場合、襟ぐり部３とアームホールＡ，Ａとは、ゴミ袋の所定箇所（袋体２の底部中央と両側部）を適宜の切断手段により、それぞれ襟ぐり部３及びアームホール４，４に適した形状に切断することで形成される。襟ぐり部３の形状は、例えば、図１に示すようなボートネック状に限らず、矩形、円形、三角形等、任意である。また、アームホール４，４の形状も図２Ａに示すような形状に限定されることなく、任意である。
【００５１】
また、袋体２は、ゴミ袋を流用するのではなく、この袋兼用外着１のために製作した専用の、例えばポリエチレンやナイロンなど袋の素材として汎用されている各種の合成樹脂からなる袋体であっても勿論よい。その場合、袋体２を無色透明のものとすることも、或いは好みの色に着色された透明又は半透明若しくは不透明なものとすることもできる。袋体２の色を蛍光色とすれば、夜間の視認性が向上するため、交通安全上好ましい。
【００５２】
さらに、袋体２には、図１に示すように、胸部と背部とに文字・図形表示領域６を設定してもよい。この文字・図形表示領域６には、例えば、名前、所属学校名、所属団体名、背番号、スポンサー企業名などの文字や、絵画や写真、図柄などを自由に表記できる。なお、この文字・図形表示領域６の設定箇所は、図示例に限るものではなく、胸部又は背部のいずれか一方のみ、また、腰部や肩部など、任意である。
【００５３】
袋兼用外着１は、上記したように、合成樹脂製の袋体２からなるものであるから、小さく折り畳んでどこにでも携行することができるとともに、Ｔシャツを着るように簡単に着用することができるため、突然の雨や寒風に襲われても簡単にしのぐことができる。
【００５４】
また、袋体２の前身頃に相当する面２Ｆ及び後身頃に相当する面２Ｂの両方の外側表面には、袋体２の開口縁部２１に沿う領域に、襟ぐり部３に向けて２回繰り返し折り返される袋体２の開口縁部２１を袋体２の表面に逐次止着する止着手段５がそれぞれ設けられているので、この袋兼用外着１を収納袋やゴミ袋として使用する場合に、袋体２の開口部２２を至極簡単に閉じることができ、瞬時にして収納袋やゴミ袋を形成することができる。
【００５５】
止着手段５としては、両面粘着テープを用いることができ、この両面粘着テープの外方に向く面が離型紙５１（図２Ｄ参照）により被覆されているとよい。
【００５６】
この場合、両面粘着テープは市場に広く出回っており安価な両面粘着テープを容易に調達することができるので、製作コストの上昇を招く虞がない。また、両面粘着テープの外方に向く面が離型紙５１により被覆されているので、袋形成時にのみ両面粘着テープの機能を発揮させることができる。
【００５７】
また、止着手段５は、上記したような両面粘着テープに限らず、袋体２の表面に塗布形成された粘着剤層であって、この粘着剤層の表面が離型紙により被覆されていてもよい。
【００５８】
この場合、粘着剤を塗布するだけでよいため、止着手段５の形成が極めて簡単なものとなり、製作コストを抑えることができるとともに、折り畳み時に、両面粘着テープを採用した場合に比べてより嵩低く折り畳むことができ、携行に優れたものとなる。また、粘着剤層の表面が離型紙により被覆されているので、袋形成時にのみ粘着剤層の機能を発揮させることができる。
【００５９】
また、粘着剤層は、広く市場において再封可能なフラップを備えた合成樹脂製袋に多用されている周知の再接着可能な粘着剤で構成されていてもよい。
【００６０】
この場合、袋として使用した後に袋体２の開口部２２を再度開いて再び簡易レインコートや簡易防寒着として使用することができる。
【００６１】
上記の両面粘着テープや粘着剤層を被覆する離型紙５１は、その表面に文字、記号、又は図柄、若しくはそれらの組み合わせが表記されていてもよい。
【００６２】
この場合、離型紙５１を、袋形成時に廃棄されるまでの間、簡易レインコートや簡易防寒着にアクセントを与えるワンポイントとして、また、袋体２の開口部２２の閉じ方を説明する説明用紙として活用することができる。
【００６３】
次に、上記のようになる袋兼用外着１を収納袋又はゴミ袋に形成する手順について、図２Ａ〜図２Ｅを参照して説明する。なお、ここでは、止着手段５として、両面粘着テープ５ＴＦ，５ＴＢを用いているが、粘着剤や再接着可能な接着剤であっても同様である。
【００６４】
まず、図２Ａに示すように、前身頃に相当する面２Ｆを前面側に向けたとすると、その面２Ｆの両面粘着テープ５ＴＦの離型紙５１を，図２Ｂに示すように、剥ぎ取ってから、袋体２の開口縁部２１を、図２Ｃに矢符Ｘで示すように、表側（前見頃に相当する面２Ｆ側）に襟ぐり部３に向けて１回折り返し、この折り返した部分を上記両面粘着テープ５ＴＦで袋体２の前身頃に相当する面２Ｆの表面に貼着する。この時の折り返し幅は両面粘着テープ５ＴＦの幅と略等しくするのが好ましい。
【００６５】
次に、この状態で、表側に現出した後身頃に相当する面２Ｂ側の両面粘着テープ５ＴＢの離型紙５１を剥ぎ取り、続いて図２Ｄに矢符Ｙで示すように、開口縁部２１をさらに襟ぐり部３に向けてもう１回折り返す。そして、折り返した部分（重合部）２３を押圧して、後見頃に相当する面２Ｂ側の両面粘着テープ５ＴＢの粘着面を袋体２の表面に圧着する（図２Ｄ，図２Ｅ及び図３参照）。
【００６６】
これにより、袋兼用外着１は収納袋又はゴミ袋に形成されることとなる。そして、剥ぎ取った２枚の離型紙５１は、図２Ｅに矢符Ｚで示すように、この形成された袋１Ａに襟ぐり部３から投入してもよいし、別途屑入れ等に廃棄してもよい。
【００６７】
このようにして形成された袋１Ａは、着用時に肩部となっていた部分を提げ手７，７とすることで、この提げ手７，７を持って携行することができる。
【００６８】
上記の実施形態では、止着手段（両面粘着テープ５ＴＦ，５ＴＢ）５は、袋体２の開口縁部２１に沿う領域の全域に亘って設けられているが、これに限るものではなく、例えば、図４に示すように、袋体２の開口縁部２１に沿う領域に部分的に設けられていてもよい。
【００６９】
上記全域に亘って止着手段５が設けられている場合は、開口縁部２１を折り上げた際、袋体２の開口部２２の閉じ部における強度が非常に高いものとなり、かなりの重量の物やゴミを気兼ねなく袋体内に投入することができる。一方、上記全域に部分的に止着手段５が設けられている場合は、止着手段５を構成する部材（図示例では両面粘着テープ５ＴＦ，５ＴＢ）の使用量を抑えることができ、製作コストの低コスト化に寄与することができる。
【００７０】
以上説明したように、止着手段５は、袋体２における前身頃に相当する面２Ｆ及び後身頃に相当する面２Ｂの両方の外側表面において、袋体２の開口縁部２１に沿う領域にそれぞれ設けられているので、開口縁部２１を襟ぐり部３に向けて２回折り返すことを使用者に促すことができる。そして、この２回の折り返しにより、袋体２の開口部２２の閉じ部に、かなりの重量の物やゴミが袋体内に投入されても袋体の開口部が簡単には開かない程度の強度を付与することができる。
【００７１】
図５は本発明の袋兼用外着の参考例を示す斜視図である。なお、上記の実施形態と同一構成要素には同一符号を付している。
【００７２】
この図に示す袋兼用外着１は、人体の少なくとも上半身を覆う大きさを有する合成樹脂製の袋体２からなり、この袋体２の底部中央に襟ぐり部３が設けられるとともに該袋体２の両側部にそれぞれアームホール４，４が設けられ、該袋体２の前身頃に相当する面２Ｆ及び後身頃に相当する面２Ｂの各内面２５には該袋体２の開口縁部２１を封止する封止手段８が設けられたものである。
【００７３】
この場合、収納袋やゴミ袋に形成する際、前記の実施形態とは異なり、開口縁部２１を折り返さなくとも袋体２の開口部２２を封止することができ、簡単に袋を形成することができるとともに、封止手段８が袋体２の内面２５側に存することになるので、携行時や着用時に封止手段８が傷む（例えば、離型紙が不測に剥がれる等）虞が少ない。
【００７４】
また、そのような袋兼用外着１において、封止手段８は両面粘着テープであって、この両面粘着テープの外方に向く面が離型紙８１により被覆されていてもよい。
【００７５】
この場合、両面粘着テープは市場に広く出回っており安価な両面粘着テープを容易に調達することができるので、製作コストの上昇を招く虞がない。また、両面粘着テープの外方に向く面が離型紙８１により被覆されているので、袋形成時にのみ両面粘着テープの機能を発揮させることができる。
【００７６】
また、封止手段は袋体２の内面に塗布された粘着剤層であって、この粘着剤層の表面が離型紙により被覆されていてもよい。
【００７７】
この場合、粘着剤を塗布するだけでよいため、封止手段の形成が極めて簡単なものとなり、製作コストを抑えることができるとともに、折り畳み時に、両面粘着テープを採用した場合に比べてより嵩低く折り畳むことができ、携行に優れたものとなる。また、粘着剤層の表面が離型紙により被覆されているので、袋形成時にのみ粘着剤層の機能を発揮させることができる。なお、粘着剤を塗布するときは、袋体２の表裏を裏返しておくと、作業性に優れたものとなる。
【００７８】
さらに、封止手段８としての粘着剤層は、再接着可能な粘着剤で構成されていてもよい。
【００７９】
この場合、袋として使用した後に袋体の開口部を再度開いて再び簡易レインコートや簡易防寒着として使用することができる。
【００８０】
なお、上記の実施形態及び参考例では、袋体２の大きさは人体の上半身のみを覆う大きさとしているが、例えば、上半身から股の部分まで覆う大きさであっても、上半身から膝下辺りまで覆う大きさであってもよい。
【００８１】
ところで、図１〜図４に示した止着手段５を有する袋兼用外着１と図５に示した封止手段８を有する袋兼用外着１とは、その形態から、相互に表裏の関係にある。すなわち、図１〜図４に示した止着手段５を有する袋兼用外着１の袋体２を裏返せばその止着手段５は図５に示した袋兼用外着２における封止手段８となり、図５に示した封止手段８を有する袋兼用外着１の袋体２を裏返せばその封止手段８は図１〜図４に示した止着手段５となる。したがって、上記いずれの袋兼用外着１も、その袋体２を裏返しても、当初の止着手段５を封止手段８として、またこれと対称的に当初の封止手段８を止着手段５としてそれぞれ機能させることができることから、何ら問題なく袋を形成することができる。このため、例えば、袋兼用外着１を簡易レインコートとして使用した後袋として使用する場合に、水滴がついた面が外側にくることによって袋を持ち運ぶ際水滴が垂れたり衣服を濡らしたりすることを防ぎたいとき、袋体２を裏返してその表裏を反転させ、水滴で濡れた面を袋の内側にくるようにすることができる。
【００８２】
図６は本発明の袋兼用外着のさらに他の実施形態を示し、同図（ａ）は着用時を示す正面図、同図（ｂ）は背面図である。なお、上記の実施形態と同一構成要素には同一符合を付している。
【００８３】
この実施形態に係る袋兼用外着１は、図１乃至図３に示した実施形態に係る袋兼用外着１と、袋体２の後身頃に相当する面２Ｂの端縁から人体の臀部Ｈを覆う延出部２４が設けられている点で異なる。
【００８４】
このようになる袋兼用外着１は、延出部２４によって人体の臀部Ｈを覆うことができるため、例えば、雨天又は雨天後の屋外においてベンチシートに腰掛ける際、ベンチシートの上に溜まった雨水で臀部Ｈが濡れてしまうのを防止することができる。したがって、例えば雨天でも行われるサッカーや野球、ラグビーなどの屋外スポーツの観戦に好適である。
【００８５】
図７は、上記図６に示した袋兼用外着１を収納袋又はゴミ袋に形成する手順を示す概略断面図である。
【００８６】
まず、前見頃に相当する面２Ｆの両面粘着テープ５ＴＦの離型紙（図示省略）を剥ぎ取ってから、図７（ａ）及び同図（ｂ）に示すように、延出部２４全体を前見頃に相当する面２Ｆの表面に重ねるように折り上げるとともに延出部２４の基端領域を両面粘着テープ５ＴＦで止着する。
【００８７】
次に、後身頃に相当する面２Ｂの両面粘着テープ５ＴＢの離型紙（図示省略）を剥ぎ取ってから、袋体２の下端縁部を、先ほどとは反対側に折り返し、この折り返した部分を両面粘着テープ５ＴＢで後身頃に相当する面２Ｂに止着し、作業を完了する。
【００８８】
図６に示した袋兼用外着１を収納袋又はゴミ袋に形成する手順は、上記した例に限らず、図８に示すようなものであってもよい。
【００８９】
ここでは、延出部２４の先端縁部２４１に沿う領域に両面粘着テープ５ＴＦが貼着されている。
【００９０】
まず、その両面粘着テープ５ＴＦの離型紙（図示省略）を剥ぎ取ってから、図８（ａ）及び同図（ｂ）に示すように、延出部２４全体を前見頃に相当する面２Ｆの表面に重ねるように折り上げるとともに、延出部２４の先端縁部２４１を両面粘着テープ５ＴＦで前見頃に相当する面２Ｆに止着する。
【００９１】
次に、後身頃に相当する面２Ｂの両面粘着テープ５ＴＢの離型紙（図示省略）を剥ぎ取ってから、袋体２の下端縁部を、先ほどとは反対側に折り返し、この折り返した部分を両面粘着テープ５ＴＢで後身頃に相当する面２Ｂに止着し、作業を完了する。
【００９２】
図９Ａは、本発明の袋兼用外着のさらに他の実施形態を示す斜視図である。
【００９３】
この実施形態に係る袋兼用外着は、図１乃至図３に示した実施形態に係る袋兼用外着１と、袋体２の材質が布製である点、及び、止着手段５が面ファスナである点で異なるだけである。なお、上記の実施形態と同一構成要素には同一符合を付している。
【００９４】
この袋兼用外着１の袋体２を構成する布は、織物、編み物、フェルト、不織布のいずれであってもよく、また、天然繊維、合成繊維のいずれであってもよい。
【００９５】
このように袋体２は布製であるため、止着手段５としては、ループ面を備えたループテープとフック面を備えたフックテープとから構成される面ファスナ、あるいはホックが用いられる。図９Ａに示す例では、開口縁部２１から順に、ループ面を備えた１本のループテープ５２Ｆと、フック面を備えた２本のフックテープ５３Ｆ，５３Ｂとが開口縁部２１と平行に袋体２の前見頃に相当する面２Ｆの表面に縫着されている。また、袋体２の後身頃に相当する面２Ｂの表面には、図９Ｂに示すように、ループ面を備えたループテープ５２Ｂが開口縁部２１に沿って縫着されている。
【００９６】
このようになる袋兼用外着１を収納袋に形成するには、まず、図９Ａに示すように、前身頃に相当する面２Ｆを前面側に向けたとすると、袋体２の開口縁部２１を、図９Ｂに矢符Ｘで示すように、表側（前見頃に相当する面２Ｆ側）に襟ぐり部３に向けて１回折り返し、ループテープ５２Ｆとその直上のフックテープ５３Ｆとを貼り付けて、この折り返した部分を袋体２の前身頃に相当する面２Ｆの表面に貼着する。
【００９７】
次に、この状態で、図９Ｃに矢符Ｙで示すように、開口縁部２１をさらに襟ぐり部３に向けてもう１回折り返す。そして、折り返した部分（重合部）２３を押圧して、後見頃に相当する面２Ｂ側のループテープ５２Ｂを、前見頃に相当する面２Ｆ側の最上段に位置するフックテープ５３Ｂに貼り付ける。これにより、袋兼用外着１は、布製の収納袋に形成されることとなる。
【００９８】
このようにして形成された袋は、着用時に肩部となっていた部分を提げ手とすることで、この提げ手を持って携行することができる。
【００９９】
上記の実施形態では、止着手段５として、２本のループテープ５２Ｆ，５２Ｂ及び２本のフックテープ５３Ｆ，５３Ｂとからなる面ファスナを用いたが、袋体２の外側表面をループ状に起毛しておけば、上記したループテープ５２Ｆ，５２Ｂを省き、フックテープ５３Ｆ，５３Ｂだけを用いるだけで済ませることができる。その場合、フックテープ５３Ｆ，５３Ｂの縫着位置は、図１乃至図３に示した実施形態における両面粘着テープ５ＴＦ，５ＴＢと同様の位置とされる。
【０１００】
また、止着手段５として、上記したような面ファスナに代えて、図示はしないが、ホックを用いることができる。ホックは、金属製或いは合成樹脂製のいずれであってもよく、その種類も、丸バネホック、２本バネホック、スナップボタンのいずれであってもよい。      
【０１０１】
止着手段５をホックとした場合、ホックを設ける位置は、上記の面ファスナの縫着位置と同様とされる。
【０１０２】
本発明の袋兼用外着の参考例として、さらに、図５に示した参考例に係る袋兼用外着における袋体２を、合成樹脂製から布製に変更するとともに、封止手段８を両面粘着テープから面ファスナあるいはホックに変更したものも挙げることができる。この場合の作用効果は、図５に示した参考例のそれと同様である。
【産業上の利用可能性】
【０１０３】
簡易レインコートや簡易防寒着として、あるいはサッカー、バスケットなどのスポーツにおける敵味方識別用簡易ジャケットとして使用することができ、また、買い物時の手提袋や、行楽、スポーツ観戦等におけるゴミ袋としても使用することができる。非常に安価に製作することができることから、ノベルティグッズとして最適である。
【符号の説明】
【０１０４】
１    袋兼用外着
２    袋体
２１  開口縁部
２２  開口部
３    襟ぐり部
４    アームホール
５    止着手段
５ＴＦ，５ＴＢ  両面粘着テープ
５１  離型紙  
５２Ｆ，５２Ｂ  ループテープ（面ファスナ）
５３Ｆ，５３Ｂ  フックテープ（面ファスナ）
８    封止手段
８１  離型紙
【図１】
0005919486.tif 000002
【図２Ａ】
0005919486.tif 000003
【図２Ｂ】
0005919486.tif 000004
【図２Ｃ】
0005919486.tif 000005
【図２Ｄ】
0005919486.tif 000006
【図２Ｅ】
0005919486.tif 000007
【図３】
0005919486.tif 000008
【図４】
0005919486.tif 000009
【図５】
0005919486.tif 000010
【図６】
0005919486.tif 000011
【図７】
0005919486.tif 000012
【図８】
0005919486.tif 000013
【図９Ａ】
0005919486.tif 000014
【図９Ｂ】
0005919486.tif 000015
【図９Ｃ】
0005919486.tif 000016